(57)【要約】【課題】画像品質の低下を抑制しつつ、シートのカールに起因したジャムを抑制することができるインクジェット記録装置を提供する。【解決手段】本発明のインクジェット記録装置は、記録ヘッドと、搬送ベルト３２と、吸引部と、駆動部とを備える。記録ヘッドは、シート上にインクを吐出する。搬送ベルト３２には、複数のベルト孔３２１が形成される。吸引部は、第１吸引領域１１、及び第１吸引領域１１の外方に位置する第２吸引領域１２に複数のベルト孔３２１を介して吸引力を発生させて、シートを搬送ベルト３２に吸着させる。駆動部は、搬送ベルト３２を駆動させて、搬送ベルト３２に吸着されたシートを記録ヘッドに対向する位置に向けて移動させる。第１吸引領域１１における吸引力は、シートの移動方向Ｄに直交する方向において対向するシートの端部に作用する。第１吸引領域１１における吸引力は、第２吸引領域１２における吸引力よりも大きい。【選択図】図３
2016132233.tif 000002
【特許請求の範囲】
【請求項１】
シート上にインクを吐出する記録ヘッドと、
複数のベルト孔が形成された搬送ベルトと、
第１吸引領域、及び前記第１吸引領域の外方に位置する第２吸引領域に前記複数のベルト孔を介して吸引力を発生させて、前記シートを前記搬送ベルトに吸着させる吸引部と、
前記搬送ベルトを駆動させて、前記搬送ベルトに吸着された前記シートを前記記録ヘッドに対向する位置に向けて移動させる駆動部と
を備え、
前記第１吸引領域における前記吸引力は、前記シートの移動方向に直交する方向において対向する前記シートの端部に作用し、
前記第１吸引領域における前記吸引力は、前記第２吸引領域における前記吸引力よりも大きい、インクジェット記録装置。
【請求項２】
前記複数のベルト孔は、
前記第１吸引領域に対応する複数の第１ベルト孔と、
前記第２吸引領域に対応する複数の第２ベルト孔と
を含み、
前記複数の第１ベルト孔の平均圧力損失は、前記複数の第２ベルト孔の平均圧力損失よりも小さい、請求項１に記載のインクジェット記録装置。
【請求項３】
前記吸引部は、前記搬送ベルトを介して前記シートを支持するプラテンを有し、
前記プラテンは、前記複数のベルト孔と連通する複数の空気流通路を有し、
前記複数の空気流通路は、
前記第１吸引領域に連通する複数の第１空気流通路と、
前記第２吸引領域に連通する複数の第２空気流通路と
を含み、
前記吸引部は、前記複数の第１空気流通路、前記複数の第２空気流通路、及び、前記複数のベルト孔を介して、前記第１吸引領域、及び、前記第２吸引領域に前記吸引力を発生させ、
前記複数の第１空気流通路の平均圧力損失は、前記複数の第２空気流通路の平均圧力損失よりも小さい、請求項１又は請求項２に記載のインクジェット記録装置。
【請求項４】
前記プラテンは、複数のプラテン溝及び複数のプラテン孔を含み、
前記複数の空気流通路は、前記複数のプラテン溝及び前記複数のプラテン孔によって構成され、
前記複数のプラテン孔は、
前記複数の第１空気流通路を構成する複数の第１プラテン孔と、
前記複数の第２空気流通路を構成する複数の第２プラテン孔と
を含み、
前記複数の第１プラテン孔の平均圧力損失は、前記複数の第２プラテン孔の平均圧力損失よりも小さい、請求項３に記載のインクジェット記録装置。
【請求項５】
前記第２吸引領域は、
前記記録ヘッドに対向する第３吸引領域と、
前記第２吸引領域から前記第３吸引領域を除いた第４吸引領域と
を含み、
前記第３吸引領域における前記吸引力は、前記第４吸引領域における前記吸引力よりも小さい、請求項１〜請求項４のいずれか１項に記載のインクジェット記録装置。
【請求項６】
前記第２吸引領域は、
前記記録ヘッドに対向する第３吸引領域と、
前記第２吸引領域から前記第３吸引領域を除いた第４吸引領域と
を含み、
前記複数の第２空気流通路は、
前記第３吸引領域に連通する複数の第３空気流通路と、
前記第４吸引領域に連通する複数の第４空気流通路と
を含み、
前記複数の第３空気流通路の平均圧力損失は、前記複数の第４空気流通路の平均圧力損失よりも大きい、請求項３又は請求項４に記載のインクジェット記録装置。
【請求項７】
前記第２吸引領域は、
前記記録ヘッドに対向する第３吸引領域と、
前記第２吸引領域から前記第３吸引領域を除いた第４吸引領域と
を含み、
前記複数の第２空気流通路は、
前記第３吸引領域に連通する複数の第３空気流通路と、
前記第４吸引領域に連通する複数の第４空気流通路と
を含み、
前記複数の第２プラテン孔は、
前記複数の第３空気流通路を構成する複数の第３プラテン孔と、
前記複数の第４空気流通路を構成する複数の第４プラテン孔と
を含み、
前記複数の第３プラテン孔の平均圧力損失は、前記複数の第４プラテン孔の平均圧力損失よりも大きい、請求項４に記載のインクジェット記録装置。
【請求項８】
前記吸引部は、
前記第１吸引領域における前記吸引力を発生させる第１吸引力発生源と、
前記第２吸引領域における前記吸引力を発生させる第２吸引力発生源と
を含む、請求項１〜請求項７のいずれか１項に記載のインクジェット記録装置。
【請求項９】
前記シートを反転させるシート反転部を更に備え、
前記シート反転部は、前記シートの一方の面に前記記録ヘッドによって前記インクが吐出された後に、前記シートの他方の面に前記記録ヘッドによって前記インクが吐出されるように前記シートの搬送方向を反転させる、請求項１〜請求項８のいずれか１項に記載のインクジェット記録装置。
【発明の詳細な説明】
【技術分野】
【０００１】
本発明は、インクジェット記録装置に関する。
【背景技術】
【０００２】
画像形成装置の一種であるインクジェット記録装置は、記録ヘッドと、搬送部とを備える。記録ヘッドは、シートにインクを吐出する。搬送部は、搬送ベルトを備え、搬送ベルトによって記録ヘッドの下方にシートを搬送する。インクジェット記録装置は、記録ヘッドの下方に搬送されたシートに記録ヘッドからインクを吐出して画像を形成する。しかし、インクジェット記録装置では、一部がカールしたシートが記録ヘッドの下方に搬送されると、シートのカールした部分が記録ヘッドに衝突してジャム（シート詰まり）が発生する恐れがある。この問題を解決するために、シートのカールに起因したジャムを抑制する技術が提案されている。
【０００３】
例えば、特許文献１には、記録ヘッドの下方において吸引力を大きくし、シートのカールした部分を搬送ベルトに吸着させるインクジェット記録装置が記載されている。
【先行技術文献】
【特許文献】
【０００４】
【特許文献１】特開２００４−１８１５１号公報
【発明の概要】
【発明が解決しようとする課題】
【０００５】
しかし、記録ヘッドの下方における吸引力を大きくすると、記録ヘッドの下方で発生する吸引風によってインク滴の着弾乱れが発生することがある。また、シートに付着した異物が吸引風によって舞い上がり記録ヘッドに付着することがある。異物の記録ヘッドへの付着は、インク滴の不吐出を招く。インク滴の着弾乱れ及びインク滴の不吐出は、記録ヘッドによって形成される画像の品質を低下させる恐れがある。
【０００６】
本発明は、上記課題に鑑みてなされたものであり、画像品質の低下を抑制しつつ、シートのカールに起因したジャムを抑制することができるインクジェット記録装置を提供することを目的としている。
【課題を解決するための手段】
【０００７】
本発明のインクジェット記録装置は、記録ヘッドと、搬送ベルトと、吸引部と、駆動部とを備える。前記記録ヘッドは、シート上にインクを吐出する。前記搬送ベルトには、複数のベルト孔が形成される。前記吸引部は、第１吸引領域、及び前記第１吸引領域の外方に位置する第２吸引領域に前記複数のベルト孔を介して吸引力を発生させて、前記シートを前記搬送ベルトに吸着させる。前記駆動部は、前記搬送ベルトを駆動させて、前記搬送ベルトに吸着された前記シートを前記記録ヘッドに対向する位置に向けて移動させる。前記第１吸引領域における前記吸引力は、前記シートの移動方向に直交する方向において対向する前記シートの端部に作用する。前記第１吸引領域における前記吸引力は、前記第２吸引領域における前記吸引力よりも大きい。
【発明の効果】
【０００８】
本発明のインクジェット記録装置によれば、画像品質の低下を抑制しつつ、シートのカールに起因したジャムを抑制することができる。
【図面の簡単な説明】
【０００９】
【図１】本発明の実施形態に係るインクジェット記録装置の構成を示す図である。
【図２】図１に示す記録ヘッド、及び、その近傍の構成を示す図である。
【図３】図２に示す第１搬送ベルトの構成を示す平面図である。
【図４】（ａ）は、本発明の実施形態１に係るプラテンの構成を示す平面図であり、（ｂ）は、図４（ａ）に示す溝の搬送方向に沿った断面図である。
【図５】本発明の実施形態２に係るプラテンの構成を示す平面図である。
【図６】図５に示すプラテンの拡大図である。
【図７】本発明の実施形態２に係るプラテンの他の構成を示す図である。
【図８】本発明の実施形態２に係るプラテンの更に他の構成を示す図である。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
［実施形態１］
まず、図１を参照して、本実施形態に係るインクジェット記録装置１について説明する。図１は、本実施形態に係るインクジェット記録装置１の構成を示す図である。インクジェット記録装置１は、装置筐体１００、給紙部２、第１シート搬送部４、第２シート搬送部５、シート排出部６、及び、シート反転部７を備える。また、インクジェット記録装置１は、第１搬送ベルト３２、第２搬送ベルト３６、及び、４種類の記録ヘッド３４ａ、３４ｂ、３４ｃ、３４ｄを更に備える。４種類の記録ヘッド３４ａ、３４ｂ、３４ｃ、及び、３４ｄは、略同一の構成を有するため、記録ヘッド３４と記載する場合がある。
【００１２】
給紙部２は、給紙カセット２１、及び、給紙ローラー２２を備える。給紙カセット２１は、装置筐体１００に着脱自在に取り付けられる。給紙カセット２１は、複数枚のシートＳを収容する。給紙ローラー（ピックアップローラー）２２は、給紙カセット２１の一方側端（図１では右側端）の上方に配置される。給紙ローラー２２は、給紙カセット２１内に収容されたシートＳを最上部から一枚ずつ取り出す。
【００１３】
第１シート搬送部４は、給紙部２から第１搬送ベルト３２まで延在して、シートＳを給紙部２から第１搬送ベルト３２まで搬送する。第１シート搬送部４は、レジストローラー対４４を備える。
【００１４】
レジストローラー対４４は、第１シート搬送部４によって搬送されるシートＳの斜行補正を行う。このとき、シートＳは、レジストローラー対４４によって一時的に停止させられる。シートＳが一時的に停止した後、レジストローラー対４４は、シートＳへの画像形成タイミングに合わせて、第１搬送ベルト３２へシートＳを送出する。
【００１５】
第１搬送ベルト３２は駆動されて、レジストローラー対４４から送出されてきたシートＳを所定方向に搬送する。図１では、第１搬送ベルト３２は反時計周りに駆動される。その結果、シートＳは、図１では左向きに搬送される。以下、第１搬送ベルト３２によってシートＳが搬送される方向を搬送方向Ｄと記載する。シートＳは、第１搬送ベルト３２によって搬送されて記録ヘッド３４に対向する位置を通過する。本実施形態において、第１搬送ベルト３２は、無端ベルトである。
【００１６】
記録ヘッド３４は、第１搬送ベルト３２の上方に配置される。記録ヘッド３４は、記録ヘッド３４に対向する位置を通過中のシートＳにインクを吐出し、シートＳに画像を形成する。なお、本実施形態では、インクとして水性インクが使用される。水性インクがシートＳに吐出されると、インクに含まれる水に湿潤してシートＳの片面が伸長し、シートＳの一部がカールする可能性がある。
【００１７】
記録ヘッド３４によって画像が形成されたシートＳは、第１搬送ベルト３２によって第２搬送ベルト３６へ向けて搬送される。
【００１８】
第２搬送ベルト３６は駆動されて、第１搬送ベルト３２から搬送されたシートＳを第２シート搬送部５へ搬送する。
【００１９】
第２シート搬送部５は、第２搬送ベルト３６の一方端側（図１では左側）からシート排出部６まで延在する。第２シート搬送部５は、搬送路の途中に分岐部材５１を備える。分岐部材５１は、回動可能に支持され、分岐部材５１の回動によってシートＳの搬送先がシート排出部６とシート反転部７との間で切り替えられる。シートＳの両面に画像を形成する場合において、片面に画像が形成されたシートＳは、シート反転部７へ導かれる。一方、シートＳの両面に画像を形成する場合において、両面に画像が形成されたシートＳはシート排出部６へ搬送される。また、シートＳの片面にのみ画像を形成する場合において、片面に画像が形成されたシートＳは、シート排出部６へ搬送される。
【００２０】
シート排出部６は、排出ローラー対６１、及び、排出トレイ６２を備える。排出トレイ６２は、装置筐体１００に形成された排出口１０１から外部に突出するように装置筐体１００に固定されている。
【００２１】
排出ローラー対６１は、第２シート搬送部５によって搬送されたシートＳを、排出口１０１へ向けて送出する。排出ローラー対６１によって送出されたシートＳは、排出口１０１を介して、装置筐体１００の外部に排出される。排出トレイ６２には、排出口１０１から排出されたシートＳが載置される。
【００２２】
シート反転部７は、第２シート搬送部５から第１シート搬送部４まで延在する。詳しくは、シート反転部７の一端は、分岐部材５１が設けられた位置で第２シート搬送部５と接続する。一方、シート反転部７の他端は、レジストローラー対４４の手前で第１シート搬送部４と接続する。シート反転部７は、シート反転部７に導かれたシートＳの搬送方向を反転した後に、第１シート搬送部４へ向けてシートＳを搬送する。この結果、シートＳの両面に画像が形成される。
【００２３】
次に、図２を参照して、記録ヘッド３４の近傍の構成、及び、記録ヘッド３４について説明する。図２は、図１に示す記録ヘッド３４、及び、その近傍の構成を示す図である。
【００２４】
図２に示すように、インクジェット記録装置１は、駆動部３１、吸引部３３、及び、ヘッドベース３７を更に備える。
【００２５】
駆動部３１は、記録ヘッド３４の下方に配置される。駆動部３１は、ベルト速度検知ローラー３１１、吸着ローラー３１２、駆動ローラー３１３、テンションローラー３１４、及び、一対のガイドローラー３１５を備える。
【００２６】
ベルト速度検知ローラー３１１、駆動ローラー３１３、テンションローラー３１４、及び、一対のガイドローラー３１５は、第１搬送ベルト３２を張架する。
【００２７】
ベルト速度検知ローラー３１１は、吸引部３３に対して搬送方向Ｄの上流側（図２では右側）に配置され、第１搬送ベルト３２との間の摩擦力によって回転する。ベルト速度検知ローラー３１１は、パルス板（図示せず）を含み、上記パルス板は、ベルト速度検知ローラー３１１と一体になって回転する。上記パルス板の回転速度を測定することによって、第１搬送ベルト３２の回転速度が検知される。
【００２８】
吸着ローラー３１２は、従動ローラーである。吸着ローラー３１２は、第１搬送ベルト３２を介して、吸引部３３が備えるプラテン３５に対向する。吸着ローラー３１２は、レジストローラー対４４から送出されたシートＳを第１搬送ベルト３２上へ誘導する。シートＳにおける搬送方向Ｄと直交する方向の中心が第１搬送ベルト３２における搬送方向Ｄと直交する方向の中心と一致するように、シートＳが第１搬送ベルト３２に導かれることが好ましい。以下、シートＳにおいて搬送方向Ｄと直交する方向をシートＳの幅方向と記載する場合がある。また、第１搬送ベルト３２において搬送方向Ｄと直交する方向を第１搬送ベルト３２の幅方向と記載する場合がある。
【００２９】
駆動ローラー３１３は、吸引部３３に対して搬送方向Ｄの下流側（図２では左側）に配置される。好ましくは、駆動ローラー３１３は、ベルト速度検知ローラー３１１と共に、記録ヘッド３４と対向する位置の第１搬送ベルト３２の平面性を維持するように配置される。
【００３０】
駆動ローラー３１３は、モーター（図示せず）によって回転駆動され、図２の反時計回りの方向に第１搬送ベルト３２を回転させる。
【００３１】
テンションローラー３１４は、第１搬送ベルト３２が撓まないように、第１搬送ベルト３２に張力を与える。
【００３２】
一対のガイドローラー３１５は、吸引部３３よりも下方に配置され、吸引部３３の下方に空間を形成する。このように配置することによって、吸引部３３の下方における第１搬送ベルト３２と吸引部３３との接触を防止することができる。
【００３３】
吸引部３３は、第１搬送ベルト３２の裏面側に配置される。吸引部３３は、第１搬送ベルト３２を介して第１搬送ベルト３２の上方に吸引力を発生させる。これにより、第１搬送ベルト３２によって搬送されているシートＳが第１搬送ベルト３２に吸着される。吸引部３３は、プラテン３５に加え、空気流通室３３１、２つの吸引力発生源３３６、及び、２つのダクト３３７を備える。プラテン３５、空気流通室３３１、２つの吸引力発生源３３６、及び、２つのダクト３３７は、この順に上側から下側に配置されている。
【００３４】
プラテン３５は、空気流通室３３１の上面開口を覆い、第１搬送ベルト３２を介してシートＳを支持する。本実施形態において、プラテン３５は、金属材料からなる。具体的には、プラテン３５の材料として、アルミダイキャスト、プレス加工板等を使用できる。あるいは、プラテン３５の材料として、第１搬送ベルト３２との摺動性に優れた樹脂を選択することも可能である。なお、プラテン３５は、「搬送板」の一例に相当する。
【００３５】
空気流通室３３１は、上面が開口した有底筒状の箱形部材によって形成されている。空気流通室３３１を構成する側壁の上面は、プラテン３５に固定されている。２つの吸引力発生源３３６は、空気流通室３３１の下方にそれぞれ配置される。２つの吸引力発生源３３６が駆動すると空気流通室３３１内に負圧が発生し、第１搬送ベルト３２、及び、プラテン３５を介して空気が空気流通室３３１に流れ込む。その結果、第１搬送ベルト３２に向けてシートＳが吸引される。第１搬送ベルト３２、及び、プラテン３５を介して空気流通室３３１内に吸引された空気は、吸引力発生源３３６を介してダクト３３７から外部へ排出される。
【００３６】
吸引力発生源３３６は、空気流通室３３１内に負圧を発生させるものであって、本実施形態では、ファンである。ただし、吸引力発生源３３６は、ファンに限定されるものではなく、例えば、真空ポンプであってもよい。
【００３７】
２つのダクト３３７は、各吸引力発生源３３６の下面とそれぞれ接続する。各吸引力発生源３３６によって吸引された空気は、各ダクト３３７から外部へ排出される。
【００３８】
４種類の記録ヘッド３４ａ、３４ｂ、３４ｃ、及び、３４ｄは、搬送方向Ｄの上流側から下流側に向けてヘッドベース３７に並設される。本実施形態において、記録ヘッド３４は、ライン型である。つまり、インクジェット記録装置１は、ラインヘッド方式のインクジェット記録装置である。
【００３９】
４種類の記録ヘッド３４ａ、３４ｂ、３４ｃ、３４ｄは、それぞれ、複数のノズル（図示せず）を有する。
【００４０】
各記録ヘッド３４ａ、３４ｂ、３４ｃ、３４ｄのノズルから各色のインクが、各記録ヘッド３４ａ、３４ｂ、３４ｃ、３４ｄに対向する位置を通過中のシートＳに吐出される。これにより、シートＳに文字、図形のような画像が形成される。
【００４１】
次に、図３を参照して、第１搬送ベルト３２の構成について説明する。図３は、図２に示す第１搬送ベルト３２の構成を示す平面図である。詳しくは、図３は、第１搬送ベルト３２を記録ヘッド３４側から見た図である。
【００４２】
図３に示すように、第１搬送ベルト３２には、多数の吸引孔３２１が略等間隔に形成されている。詳しくは、搬送方向Ｄに配置された多数の吸引孔３２１からなる列が第１搬送ベルト３２の幅方向に複数本形成されている。これらの複数本の列は、吸引孔３２１が千鳥状に配置されるように配列されている。第１シート搬送部４から第１搬送ベルト３２上に搬送されたシートＳは、多数の吸引孔３２１の一部を覆う。本実施形態において、吸引孔３２１の横断面は、円形状である。隣接する吸引孔３２１同士の間隔（隣接する吸引孔３２１の各中心の間の距離）は、８ｍｍである。なお、吸引孔３２１は、ベルト孔の一例である。
【００４３】
多数の吸引孔３２１は、複数の第１吸引孔３２１ａと、複数の第２吸引孔３２１ｂとを含む。各第１吸引孔３２１ａの横断面の直径は、各第２吸引孔３２１ｂの横断面の直径よりも大きい。本実施形態における第１吸引孔３２１ａの直径は、２．５ｍｍであり、第２吸引孔３２１ｂの直径は、１．５ｍｍである。
【００４４】
複数の第１吸引孔３２１ａは、第１吸引領域１１に配置される。複数の第２吸引孔３２１ｂは、第２吸引領域１２に配置される。第２吸引領域１２は、第１吸引領域１１の外方に位置する。第１吸引領域１１は、第１搬送ベルト３２によって搬送されるシートＳのうち、シートＳの幅方向において対向する各端部が通過する領域である。例えば、Ａ４サイズのシートＳが縦通紙される場合、即ち、シートＳの短辺が搬送方向Ｄと直交するように搬送される場合、シートＳの各端部は、図３に示す第１吸引領域１１のうち、内側の第１吸引領域１１を通過する。また、Ａ４サイズのシートＳが横通紙される場合、即ち、シートＳの長辺が搬送方向Ｄと直交するように搬送される場合、シートＳの各端部は、図３に示す第１吸引領域１１のうち、外側の第１吸引領域１１を通過する。なお、第１吸引領域１１は、第１搬送ベルト３２に導かれるシートＳの位置が機械公差等によってばらつくことを考慮して設定される。
【００４５】
吸引力発生源３３６（図２参照）が駆動すると、プラテン３５及び複数の吸引孔３２１を介して第１吸引領域１１及び第２吸引領域１２に吸引力が発生する。したがって、第１吸引領域１１では、シートＳの各端部に吸引力が作用する。上述のように、第１吸引孔３２１ａの直径は、第２吸引孔３２１ｂの直径よりも大きい。このため、複数の第１吸引孔３２１ａの平均圧力損失は、複数の第２吸引孔３２１ｂの平均圧力損失よりも小さい。したがって、第１吸引領域１１における吸引力は、第２吸引領域１２における吸引力よりも大きくなる。よって、第２吸引領域１２の吸引力を抑制しつつ、シートＳの各端部をより確実に第１搬送ベルト３２に吸着させることができる。
【００４６】
続いて図４を参照して、プラテン３５の構成について説明する。図４（ａ）は、本実施形態に係るプラテン３５の構成を示す平面図である。詳しくは、図４（ａ）は、プラテン３５を第１搬送ベルト３２側から見た図である。図４（ｂ）は、図４（ａ）に示す溝３５１の搬送方向Ｄに沿った断面図である。
【００４７】
図４（ａ）に示すように、プラテン３５は、複数の空気流通路３５３を有する。複数の空気流通路３５３は、複数の溝３５１、及び、複数の貫通孔３５２によって構成される。図４（ｂ）に示すように、貫通孔３５２は、プラテン３５をプラテン３５の厚さ方向に貫通する。なお、溝３５１は、プラテン溝の一例である。貫通孔３５２は、プラテン孔の一例である。
【００４８】
図４（ａ）に示すように、溝３５１の形状は、搬送方向Ｄに延びる長円状である。プラテン３５の上面には、搬送方向Ｄに沿って配置された複数の溝３５１からなる列が、プラテン３５において搬送方向Ｄと直交する方向に複数本形成されている。以下、プラテン３５において搬送方向Ｄと直交する方向をプラテン３５の幅方向と記載する場合がある。溝３５１における搬送方向Ｄの略中央位置には、貫通孔３５２が形成されている。
【００４９】
溝３５１は、図３を参照して説明した吸引孔３２１に対応してそれぞれ配置される。よって、貫通孔３５２、溝３５１、及び、吸引孔３２１は、互いに連通する。つまり、空気流通路３５３は、吸引孔３２１と連通する。また、空気流通路３５３は、空気流通室３３１（図２参照）とも連通する。吸引力発生源３３６（図２参照）が駆動すると、複数の空気流通路３５３に沿った空気の流れが発生する。つまり、吸引孔３２１から空気流通室３３１に流入する空気は、複数の空気流通路３５３を通って空気流通室３３１へ流入する。
【００５０】
複数の空気流通路３５３は、第１空気流通路３５３ａ及び第２空気流通路３５３ｂを含む。第１空気流通路３５３ａは、第１吸引領域１１に配置される。よって、第１空気流通路３５３ａを構成する溝３５１及び貫通孔３５２は、第１吸引領域１１に配置されている。以下、第１吸引領域１１に配置される溝３５１を第１溝３５１ａと記載する。また、第１吸引領域１１に配置される貫通孔３５２を第１貫通孔３５２ａと記載する。第２空気流通路３５３ｂは、第２吸引領域１２に配置される。よって、第２空気流通路３５３ｂを構成する溝３５１及び貫通孔３５２は、第２吸引領域１２に配置されている。以下、第２吸引領域１２に配置される溝３５１を第２溝３５１ｂと記載する。また、第２吸引領域１２に配置される貫通孔３５２を第２貫通孔３５２ｂと記載する。
【００５１】
プラテン３５の幅方向に沿った第１溝３５１ａの横幅は、プラテン３５の幅方向に沿った第２溝３５１ｂの横幅よりも大きい。また、第１貫通孔３５２ａの横断面の直径は、第２貫通孔３５２ｂの横断面の直径よりも大きい。したがって、複数の第１空気流通路３５３ａの平均圧力損失は、複数の第２空気流通路３５３ｂの平均圧力損失よりも小さい。この結果、第１吸引領域１１における吸引力は、第２吸引領域１２における吸引力よりも大きくなる。なお、第１溝３５１ａの深さは、第２溝３５１ｂの深さと等しく、第１貫通孔３５２ａの深さは、第２貫通孔３５２ｂの深さと等しい。
【００５２】
以上のように、第１吸引領域１１おける吸引力は、第２吸引領域１２における吸引力よりも大きくなる。この結果、カールしたシートＳに起因したジャムの発生を抑制できる。また、本実施形態によれば、記録ヘッド３４の下方の領域の全部分において吸引力を大きくすることなく、シートＳをより確実に第１搬送ベルト３２に吸着させることができる。これにより、記録ヘッド３４から吐出されるインク滴の吸引風による着弾乱れ、及び、異物の記録ヘッド３４への付着を抑制することができる。したがって、本実施形態によれば、画像品質の低下を抑制しつつ、カールしたシートＳに起因したジャムの発生を抑制できる。
【００５３】
なお、本実施形態では、第１搬送ベルト３２に形成される第１吸引孔３２１ａの直径が第２吸引孔３２１ｂの直径よりも大きい場合を例に説明したが、本発明は、これに限定されない。例えば、第１吸引領域１１に対応する複数の第１吸引孔３２１ａの開口率が、第２吸引領域１２に対応する複数の第２吸引孔３２１ｂの開口率よりも大きくてもよい。具体的には、第１吸引孔３２１ａの直径を第２吸引孔３２１ｂの直径と等しくし、第１吸引孔３２１ａの総数を第２吸引孔３２１ｂの総数よりも多くする。これにより、第１吸引領域１１おける吸引力は、第２吸引領域１２における吸引力よりも大きくなる。なお、第１吸引領域１１に対応する複数の第１吸引孔３２１ａの開口率は、第１搬送ベルト３２のうち第１吸引領域１１に対応する部分の総面積に対する複数の第１吸引孔３２１ａの横断面の総面積の割合を示す。また、第２吸引領域１２に対応する複数の第２吸引孔３２１ｂの開口率は、第１搬送ベルト３２のうち第２吸引領域１２に対応する部分の総面積に対する複数の第２吸引孔３２１ｂの横断面の総面積の割合を示す。
【００５４】
また、第１吸引領域１１の吸引力は、用紙面積当たり３０Ｎ／ｍ2以上が望ましく、５０Ｎ／ｍ2以上７５Ｎ／ｍ2以下が更に望ましい。これにより、記録ヘッド３４から吐出されるインク滴の吸引風による着弾乱れ、及び、異物の記録ヘッド３４への付着をより抑制することができる。なお、吸引力は、以下の式で算出される。
吸引力＝（用紙が第１搬送ベルト３２に吸着されていないときの空気流通室３３１の負圧［Ｐａ］）×（吸引孔３２１の開口率）／１００［Ｎ／ｍ2］
【００５５】
また、第２吸引領域１２の吸引力は、第１吸引領域１１の吸引力よりも小さい範囲において用紙面積当たり３０Ｎ／ｍ2以下が望ましく、３Ｎ／ｍ2以上１５Ｎ／ｍ2以下が更に望ましい。これにより、記録ヘッド３４から吐出されるインク滴の吸引風による着弾乱れ、及び、異物の記録ヘッド３４への付着をより抑制することができる。
【００５６】
また、本実施形態では、プラテン３５に形成される第１貫通孔３５２ａの直径が、第２貫通孔３５２ｂの直径よりも大きい場合を例に説明したが、本発明は、これに限定されない。例えば、第１吸引領域１１に対応する複数の第１貫通孔３５２ａの開口率が第２吸引領域１２に対応する複数の第２貫通孔３５２ｂの開口率よりも大きくてもよい。具体的には、第１貫通孔３５２ａの直径を第２貫通孔３５２ｂの直径と等しくし、第１貫通孔３５２ａの総数を第２貫通孔３５２ｂの総数よりも多くする。これにより、第１吸引領域１１における吸引力が第２吸引領域１２における吸引力よりも大きくなる。なお、第１吸引領域１１に対応する複数の第１貫通孔３５２ａの開口率は、プラテン３５のうち第１吸引領域１１に対応する部分の総面積に対する複数の第１貫通孔３５２ａの横断面の総面積の割合を示す。また、第２吸引領域１２に対応する複数の第２貫通孔３５２ｂの開口率は、プラテン３５のうち第２吸引領域１２に対応する部分の総面積に対する複数の第２貫通孔３５２ｂの横断面の総面積の割合を示す。
【００５７】
また、本実施形態では、プラテン３５の幅方向に沿った第１溝３５１ａの横幅が、プラテン３５の幅方向に沿った第２溝３５１ｂの横幅よりも大きい場合を例に説明したが、プラテン３５の幅方向に沿った第１溝３５１ａの横幅が、プラテン３５の幅方向に沿った第２溝３５１ｂの横幅と等しくてもよい。この場合、第１貫通孔３５２ａの横断面の直径を、第２貫通孔３５２ｂの横断面の直径よりも大きくする。これにより、複数の第１貫通孔３５２ａの平均圧力損失は、複数の第２貫通孔３５２ｂの平均圧力損失よりも小さくなる。したがって、第１吸引領域１１における吸引力は、第２吸引領域１２における吸引力よりも大きくなる。
【００５８】
また、本実施形態では、第１貫通孔３５２ａの深さが第２貫通孔３５２ｂの深さと等しい場合を例に説明したが、本発明はこれに限定されない。例えば、第１貫通孔３５２ａの深さを第２貫通孔３５２ｂの深さよりも浅くする。これにより、複数の第１貫通孔３５２ａの平均圧力損失は、複数の第２貫通孔３５２ｂの平均圧力損失よりも小さくなる。したがって、第１吸引領域１１における吸引力は、第２吸引領域１２における吸引力よりも大きくなる。
【００５９】
また、本実施形態では、第１溝３５１ａの深さが第２溝３５１ｂの深さと等しい場合を例に説明したが、本発明はこれに限定されない。例えば、第１溝３５１ａの深さを第２溝３５１ｂの深さより深くしてもよい。これにより、複数の第１空気流通路３５３ａの平均圧力損失は、複数の第２空気流通路３５３ｂの平均圧力損失よりも小さくなる。したがって、第１吸引領域１１における吸引力は、第２吸引領域１２における吸引力よりも大きくなる。
【００６０】
また、本実施形態では、Ａ４サイズのシートＳに画像を形成するインクジェット記録装置１に本発明を適用したが、本発明はこれに限定されない。本発明は、複数のサイズ種別、例えば、Ａ４サイズのシートＳ、及び、Ｂ４サイズのシートＳに画像を形成可能なインクジェット記録装置にも適用され得る。この場合、インクジェット記録装置が対応可能なシートＳのサイズ種別ごとに第１吸引領域１１を設定すればよい。
【００６１】
また、本実施形態において、吸引力発生源３３６が２つである場合を例に説明したが、吸引力発生源３３６は２つに限定されない。例えば、吸引力発生源３３６は、１つ又は３つ以上であってもよい。
【００６２】
また、本実施形態において、２つの吸引力発生源３３６はともに、第１吸引領域１１及び第２吸引領域１２に吸引力を発生させたが、本発明はこれに限定されない。例えば、２つの吸引力発生源３３６のうち、一方の吸引力発生源３３６は、第１吸引領域１１に吸引力を発生させ、他方の吸引力発生源３３６は、第２吸引領域１２に吸引力を発生させてもよい。これにより、第１吸引領域１１における吸引力を第２吸引領域１２における吸引力よりも更に確実に大きくすることができる。
【００６３】
［実施形態２］
次に、図１〜図３、及び、図５〜図８を参照して、本発明の実施形態２に係るインクジェット記録装置１について説明する。実施形態２では、プラテン３５の構成が実施形態１と異なる。以下、実施形態２について実施形態１と異なる事項を説明し、実施形態１と重複する事項の説明は割愛する。
【００６４】
図５は、本実施形態に係るプラテン３５の構成を示す図である。図５に示す２点鎖線は、記録ヘッド３４の投影像を示す。図６は、図５に示すプラテン３５の拡大図である。
【００６５】
図５に示すように、第２吸引領域１２のうち記録ヘッド３４と対向する第３吸引領域１３には、空気流通路３５３が配置されていない。詳しくは、図６に示すように、第２吸引領域１２は、第３吸引領域１３と第４吸引領域１４とを含む。第３吸引領域１３は、記録ヘッド３４に対向する。第４吸引領域１４は、第２吸引領域１２から第３吸引領域１３を除いた領域である。第２空気流通路３５３ｂは、第４吸引領域１４にのみ配置されている。つまり、第３吸引領域１３には、第２空気流通路３５３ｂが配置されていない。すなわち、第２溝３５１ｂ、及び、第２貫通孔３５２ｂは、第４吸引領域１４にのみ形成され、第３吸引領域１３には形成されていない。このため、第３吸引領域１３における吸引力は、第４吸引領域１４における吸引力よりも小さい。
【００６６】
以上のように、第３吸引領域１３における吸引力は、第４吸引領域１４における吸引力よりも小さい。この結果、記録ヘッド３４から吐出されるインク滴の吸引風による着弾乱れ、及び、異物の記録ヘッド３４への付着をより抑制することができる。また、本実施形態では、実施形態１と同様に、第１吸引領域１１における吸引力は第２吸引領域１２における吸引力よりも大きい。この結果、シートＳの各端部をより確実に第１搬送ベルト３２に吸着することができる。したがって、本実施形態によれば、画像品質の低下を抑制しつつ、カールに起因したジャムの発生を抑制することができる。
【００６７】
なお、本実施形態では、第３吸引領域１３に空気流通路３５３が配置されない場合を例に説明したが、本発明はこれに限定されない。例えば、図７に示すように、第３吸引領域１３に、第３空気流通路３５３ｃが配置され、第４吸引領域１４に第４空気流通路３５３ｄが配置されてもよい。つまり、第３空気流通路３５３ｃを構成する溝３５１及び貫通孔３５２が、第３吸引領域１３に配置され、第４空気流通路３５３ｄを構成する溝３５１及び貫通孔３５２が、第４吸引領域１４に配置されてもよい。以下、第３吸引領域１３に配置される溝３５１を第３溝３５１ｃと記載する。また、第３吸引領域１３に配置される貫通孔３５２を第３貫通孔３５２ｃと記載する。同様に、第４吸引領域１４に配置される溝３５１を第４溝３５１ｄと記載する。また、第４吸引領域１４に配置される貫通孔３５２を第４貫通孔３５２ｄと記載する。
【００６８】
第３空気流通路３５３ｃは、図３を参照して説明した複数の第２吸引孔３２１ｂを介して、第３吸引領域１３と連通する。第４空気流通路３５３ｄは、図３を参照して説明した複数の第２吸引孔３２１ｂを介して、第４吸引領域１４と連通する。プラテン３５の幅方向に沿った第３溝３５１ｃの横幅は、プラテン３５の幅方向に沿った第４溝３５１ｄの横幅よりも小さい。また、第３貫通孔３５２ｃの横断面の直径は、第４貫通孔３５２ｄの横断面の直径よりも小さい。これにより、第３空気流通路３５３ｃの平均圧力損失は、第４空気流通路３５３ｄの平均圧力損失よりも大きくなる。したがって、図７に示す構成によって、第３吸引領域１３おける吸引力は、第４吸引領域１４における吸引力よりも小さくなる。
【００６９】
あるいは、図８に示すように、プラテン３５の幅方向に沿った第３溝３５１ｃの横幅が、プラテン３５の幅方向に沿った第４溝３５１ｄの横幅と等しく、第３貫通孔３５２ｃの横断面の直径が、第４貫通孔３５２ｄの横断面の直径よりも小さくてもよい。図８に示す構成により、第３貫通孔３５２ｃの平均圧力損失が、第４貫通孔３５２ｄの平均圧力損失よりも大きくなる。したがって、第３吸引領域１３における吸引力が第４吸引領域１４における吸引力よりも小さくなる。
【００７０】
以上、図面を参照しながら本発明の実施形態について説明した。ただし、本発明は、上記の実施形態に限られるものではなく、その要旨を逸脱しない範囲で種々の態様において実施することが可能である。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７１】
例えば、本発明の実施形態では、プラテン３５と空気流通室３３１とが別部材である場合について説明したが、プラテン３５と空気流通室３３１とが一体に形成されている形態でもよい。この場合には、空気流通室３３１からの負圧のリークを防止することができる。詳しくは、プラテン３５と空気流通室３３１との間の隙間からの空気流通室３３１への空気の流入を防止することができる。
【産業上の利用可能性】
【００７２】
本発明は、インクジェット記録装置に利用可能である。
【符号の説明】
【００７３】
１        インクジェット記録装置
３１      駆動部
３２      第１搬送ベルト
３２１    吸引孔
３３      吸引部
３４      記録ヘッド
３５      プラテン
３５１    溝
３５２    貫通孔
【図１】
2016132233.tif 000003
【図２】
2016132233.tif 000004
【図３】
2016132233.tif 000005
【図４】
2016132233.tif 000006
【図５】
2016132233.tif 000007
【図６】
2016132233.tif 000008
【図７】
2016132233.tif 000009
【図８】
2016132233.tif 000010